(57)【要約】【課題】薬液散布部に絡みつく異物の除去作業を軽減させ、作業効率の向上するスピードスプレーヤを提供する。【解決手段】走行台車と、走行台車枠上に走行台車を操作する運転席と、薬液を貯留する薬液タンクと、薬液散布するための散布ノズルと送風ファンと格子上のファンカバーを備えた薬液散布部と、前記走行台車を走行させるための走行ミッションと、薬液を前記散布ノズルへ圧送する動噴ポンプと、これら走行ミッションと動噴ポンプと送風ファンを駆動するエンジンとを配置したスピードスプレーヤにおいて、送風ファンを正逆転切換え可能とすることにより、適宜送風ファンを逆転させることで異物を外方へ飛ばす。【選択図】      図１
2004223382.tif 000002
【特許請求の範囲】
【請求項１】
走行台車と、走行台車枠上に走行台車を操作する運転席と、薬液を貯留する薬液タンクと、薬液散布するための散布ノズルと送風ファンと格子上のファンカバーを備えた薬液散布部と、前記走行台車を走行させるための走行ミッションと、薬液を前記散布ノズルへ圧送する動噴ポンプと、これら走行ミッションと動噴ポンプと送風ファンを駆動するエンジンとを配置したスピードスプレーヤにおいて、送風ファンを正逆転切換え可能としたことを特徴としたスピードスプレーヤ。
【請求項２】
送風ファンは運転席より正逆転操作可能としたことを特徴とする請求項１記載のスピードスプレーヤ。
【発明の詳細な説明】
【０００１】
【発明の属する技術分野】
本発明は、スピードスプレーヤの薬液散布部に絡みつく異物を除去する構成に関する。
【０００２】
【従来の技術】
従来技術として、薬液散布部の後方下部に軸支され回動自在とした吸込防止板を適宜位置に調整可能として配置し、この吸込防止板を下方に回動させ全開とすることで送風ファンによる高い噴霧風圧力を得ることができ、生い茂る葉のすみずみまで薬液を噴霧散布することを可能とし、吸込防止板を薬液散布部後方の下半分を覆うように配置した場合は、噴霧風圧力を全開時の半分とすることができるとともに圃場に散在する枯れ葉や紙、あるいは農用ビニール等の吸込みを防止することができる構成が知られている（特許文献１）
【０００３】
【特許文献１】
実開昭５７−１６５２７２号公報
【０００４】
【発明が解決とようとする課題】
上記従来技術によれば、吸込防止板を全開にして高い噴霧風圧力を得ようとすると、吸込防止板の機能が発揮せず圃場の枯れ葉や紙あるいは農用ビニールなどの異物を吸込んでしまい薬液散布部、特に、格子状のファンカバーに絡みついてしまい所望の噴霧風圧力を得られないという問題がある。又、異物の除去作業に時間を要しスムーズな散布作業が行えないという問題がある。
【０００５】
そこで本発明は、薬液散布部に絡みつく異物の除去作業を軽減させ、作業効率の向上するスピードスプレーヤを提供することを目的とする。
【０００６】
【課題を解決するための手段】
前記した課題を解決するため、走行台車と、走行台車枠上に走行台車を操作する運転席と、薬液を貯留する薬液タンクと、薬液散布するための散布ノズルと送風ファンと格子上のファンカバーを備えた薬液散布部と、前記走行台車を走行させるための走行ミッションと、薬液を前記散布ノズルへ圧送する動噴ポンプと、これら走行ミッションと動噴ポンプと送風ファンを駆動するエンジンとを配置したスピードスプレーヤにおいて、送風ファンを正逆転切換え可能とすることにより、適宜送風ファンを逆転させることで異物を外方へ飛ばすことができ、作業者は運転席より降りることなく異物除去作業を行えるので薬液散布作業がスムーズに行え作業効率が向上する。
【０００７】
【発明の実施の形態】
以下、本発明の実施の形態を図面に基づいて説明する。図１は本発明を実施したスピードスプレーヤの側面図、図２は同スピードスプレーヤの平面図である。
【０００８】
図１、図２において、１は走行台車で側面視前後に車輪を回転自在に軸支してある。走行台車１の枠上には前方から順次運転席２、薬液タンク３、エンジンルーム４、薬液散布部５を列設してある。２の運転席は、ハンドル２１、走行変速レバー２２、ファン変速レバー２３及び座席２４から構成される。３の薬液タンクは、果樹木等に散布する薬液を貯留するためのものである。
【０００９】
エンジンルーム４内には、動噴ポンプ６と、走行ミッション７と、駆動出力軸４１ａを備えたエンジン４１とが設けられ、このエンジン４１は、駆動出力軸４１ａを走行台車１の前進する方向に対し後方に突き出すよう走行台車１に載置され、この駆動出力軸４１ａと平行状にカウンタ軸４２を回転自在に設けている。
【００１０】
カウンタ軸４２は、エンジンン４１の駆動出力軸４１ａとベルト４３が架設され、駆動出力軸４１ａの回転動力をカウンタ軸４２へ伝達する。カウンタ軸４２の前方部には走行ミッション７が連結され、カウンタ軸４２の略中央部より動噴ポンプ６を駆動するためのベルト４４が架設される。
【００１１】
走行ミッション７は、走行車１を前後進させる前後進ミッション７１と、走行台車１を高速走行あるいは低速走行に切換え可能とする低高速ミッション７２から構成される。走行操作は運転席２に配置された走行変速レバー２２と、前後進ミッション７１及び低高速ミッション７２とを変速ワイヤＷ１，Ｗ２にて連結し、走行変速レバー２２を前後左右に倒伏させることにより薬液散布作業時の低速前進走行、圃場間移動時等の高速前進走行及び後進走行を選択可能としてある。
【００１２】
動噴ポンプ６は、前記カウンタ軸４２から動力を受け駆動することにより、前記薬液タンク内の薬液を薬液散布部５へ圧送するものである。
【００１３】
５の薬液散布部は、走行台車１の後方に配置され、後部より送風ファン５１とこの送風ファン５１を回転自在に軸支し、軸支部中心より放射状に静翼５２ａを複数枚設けた円筒状の整風筒５２と、送風ファン５１にて吸込まれるエア流を左右及び上方へ拡散する拡散板５３と、送風ファン５１の回転速度及び回転方向を変える油圧式無段変速機５４と、整風筒５２と拡散板５３との間に開口部５５を形成し、この開口部５５には散布ノズル５６が配置されている。そして、送風ファン５１は高速回転するためファン回転部に手が入らないよう格子状のファンカバー５７が設けてある。
【００１４】
前記油圧式無段変速機５４は、油圧ポンプと油圧モータが一体となったもので揺動する可変ブラケット５４ａが設けてあり、この可変ブラケット５４ａの揺動角度に応じて入力された動力を増減速及び正逆転させる。カウンタ軸４２の後端部よりベルト４５を介して、油圧式無段変速機５４の前方に突設する入力軸５４ｂへ伝達された動力は後方に突設した出力軸５４ｃに出力し、出力軸５４ｃに連結される送風ファン５１を増減速及び正逆転されることが可能となる。
【００１５】
送風ファン５１の回転方向と回転速度の操作は、運転席２の座席２４近傍に配置されたファン変速レバー２３で遠隔操作可能で、ファン変速レバー２３と前記可変ブラケット５４ａを変速ワイヤＷ３で連結し、ファン変速レバー２３が垂直位置にある場合は、送風ファン５１は停止した状態でファン変速レバー２３を徐々に前方に倒ことにより、変速ワイヤＷ３を介し可変ブラケット５４ａを揺動させ送風ファン５１は正回転を開始し、ファン変速レバー２３の倒状角度に応じ可変ブラケット５４ａの揺動角度を変化させ送風ファン５１の回転速度を増減し、薬液散布時の噴霧風圧力を変化させることが可能である。
【００１６】
又、ファン変速レバー２３を後方に倒すことで、送風ファン５１は逆回転を開始し、エア流を後方へ向けることが可能となる。
【００１７】
本実施例では、送風ファン５１の変速手段に油圧式無段変速機５４を用いたが、歯車の組み合わせによる機械式の変速ミッションを用いて正逆転を切換え可能とする構成もある。
【００１８】
【発明の効果】
以上のように、送風ファンを正逆転切換え可能とした構成にすることより、適宜送風ファンを逆転させることで異物を外方へ飛ばすことができ、作業者は運転席より降りることなく異物除去作業を行えるので薬液散布作業がスムーズに行え作業効率が向上する。
【図面の簡単な説明】
【図１】本発明を実施したスピードスプレーヤの側面図
【図２】同スピードスプレーヤの平面図
【符号の説明】
１      走行台車
２      運転席
２１    ハンドル
２２    走行変速レバー
２３    ファン変速レバー
２４    座席
３      薬液タンク
４      エンジンルーム
４１    エンジン
４１ａ  駆動出力軸
４２    カウンタ軸
４３，４４，４５    ベルト
５      薬液散布部
５１    送風ファン
５２    整風筒
５２ａ  静翼
５３    拡散板
５４    油圧式無段変速機
５４ａ  可変ブラケット
５４ｂ  入力軸
５４ｃ  出力軸
５５    開口部
５６    散布ノズル
５７    ファンカバー
６      動噴ポンプ
７      走行ミッション
７１    前後進ミッション
７２    低高速ミッション
Ｗ１，Ｗ２，Ｗ３    変速ワイヤ
【図１】
2004223382.tif 000003
【図２】
2004223382.tif 000004